【手続補正書】
【提出日】平成24年12月7日(2012.12.7)
【手続補正１】
【補正対象書類名】明細書
【補正対象項目名】発明の名称
【補正方法】変更
【補正の内容】
【発明の名称】画像形成システム、Ｗｅｂサーバ、印刷制御装置、それらの制御方法、及びプログラム
【手続補正２】
【補正対象書類名】明細書
【補正対象項目名】０００１
【補正方法】変更
【補正の内容】
【０００１】
本発明は、Ｗｅｂサーバと、前記Ｗｅｂサーバとネットワークを介して通信する印刷制御装置と、前記印刷制御装置に接続される画像形成装置とを含む画像形成システムに関する。
【手続補正３】
【補正対象書類名】明細書
【補正対象項目名】００１１
【補正方法】変更
【補正の内容】
【００１１】
上記目的を達成するため、請求項１に記載の画像形成システムは、Ｗｅｂサーバと、前記Ｗｅｂサーバとネットワークを介して通信する印刷制御装置と、前記印刷制御装置に接続される画像形成装置とを含む画像形成システムであって、前記Ｗｅｂサーバは、前記印刷制御装置により送信されたリクエストを受信する受信手段と、前記受信手段が受信したリクエストが、前記印刷制御装置のＷｅｂブラウザからのリクエストか、前記画像形成装置のＷｅｂブラウザからのリクエストかを判定する判定手段と、前記判定手段による判定の結果、前記受信手段が受信したリクエストが、前記画像形成装置のＷｅｂブラウザからのリクエストであると判定された場合に、当該リクエストに対する応答として、前記画像形成装置のＷｅｂブラウザで表示するための画面データと前記印刷制御装置のＷｅｂブラウザで表示するための画面データを応答する応答手段とを有することを特徴とする。
【手続補正４】
【補正対象書類名】明細書
【補正対象項目名】００１２
【補正方法】変更
【補正の内容】
【００１２】
本発明によれば、印刷制御装置及び画像形成装置の各Ｗｅｂブラウザ上に表示する各操作画面を適切に同期させることが可能となる。
【手続補正５】
【補正対象書類名】特許請求の範囲
【補正対象項目名】全文
【補正方法】変更
【補正の内容】
【特許請求の範囲】
【請求項１】
Ｗｅｂサーバと、前記Ｗｅｂサーバとネットワークを介して通信する印刷制御装置と、前記印刷制御装置に接続される画像形成装置とを含む画像形成システムであって、
前記Ｗｅｂサーバは、
前記印刷制御装置により送信されたリクエストを受信する受信手段と、
前記受信手段が受信したリクエストが、前記印刷制御装置のＷｅｂブラウザからのリクエストか、前記画像形成装置のＷｅｂブラウザからのリクエストかを判定する判定手段と、
前記判定手段による判定の結果、前記受信手段が受信したリクエストが、前記画像形成装置のＷｅｂブラウザからのリクエストであると判定された場合に、当該リクエストに対する応答として、前記画像形成装置のＷｅｂブラウザで表示するための画面データと前記印刷制御装置のＷｅｂブラウザで表示するための画面データを応答する応答手段と
を有することを特徴とする画像形成システム。
【請求項２】
前記印刷制御装置は、
前記画像形成装置のＷｅｂブラウザからのリクエストを前記Ｗｅｂサーバに転送する転送手段を備えることを特徴とする請求項１に記載の画像形成システム。
【請求項３】
前記印刷制御装置は、
前記Ｗｅｂサーバからの応答に含まれる前記印刷制御装置のＷｅｂブラウザで表示するための画面データに基づく画面を、自装置の表示部に表示する表示手段と、
前記Ｗｅｂサーバからの応答に含まれる前記画像形成装置のＷｅｂブラウザで表示するための画面データを、前記画像形成装置に送信する送信手段と、
を備えることを特徴とする請求項１または２に記載の画像形成システム。
【請求項４】
前記Ｗｅｂサーバは、前記画像形成装置のＷｅｂブラウザで表示するための画面データと前記印刷制御装置のＷｅｂブラウザで表示するための画面データの両方を応答するか、前記画像形成装置のＷｅｂブラウザで表示するための画面データのみを応答するかを判断する判断手段を更に備え、
前記応答手段は、前記判断手段による判断の結果に従って前記受信手段が受信したリクエストに対する応答を行うことを特徴とする請求項１乃至３のいずれか１項に記載の画像形成システム。
【請求項５】
前記判定手段による判定の結果、前記受信手段が受信したリクエストが、前記印刷制御装置のＷｅｂブラウザからのリクエストであると判定された場合は、前記応答手段は、当該リクエストに対する応答として、前記印刷制御装置のＷｅｂブラウザで表示するための画面データのみを応答することを特徴とする請求項１乃至４のいずれか１項に記載の画像形成システム。
【請求項６】
前記画像形成装置のＷｅｂブラウザで表示するための画面データは、前記画像形成装置が備える機能を選択する画面を表示するための画面データであり、前記印刷制御装置のＷｅｂブラウザで表示するための画面データは、前記機能を説明する画面を表示するための画面データであることを特徴とする請求項１乃至５のいずれか１項に記載の画像形成システム。
【請求項７】
前記画像形成装置のＷｅｂブラウザで表示するための画面データは、前記画像形成装置で読み取った画像データを外部装置に送信するための設定を行う画面を表示するための画面データであり、前記印刷制御装置のＷｅｂブラウザで表示するための画面データは、前記設定を説明する画面を表示するための画面データであることを特徴とする請求項１乃至５のいずれか１項に記載の画像形成システム。
【請求項８】
前記画像形成装置のＷｅｂブラウザで表示するための画面データは、前記印刷制御装置の設定を変更する必要があることを通知する画面を表示するための画面データであり、前記印刷制御装置のＷｅｂブラウザで表示するための画面データは、前記印刷制御装置の設定を変更する画面を表示するための画面データであることを特徴とする請求項１乃至５のいずれか１項に記載の画像形成システム。
【請求項９】
画像形成装置に接続された印刷制御装置と、ネットワークを介して通信するＷｅｂサーバであって、
前記印刷制御装置により送信されたリクエストを受信する受信手段と、
前記受信手段が受信したリクエストが、前記印刷制御装置のＷｅｂブラウザからのリクエストか、前記画像形成装置のＷｅｂブラウザからのリクエストかを判定する判定手段と、
前記判定手段による判定の結果、前記受信手段が受信したリクエストが、前記画像形成装置のＷｅｂブラウザからのリクエストであると判定された場合に、当該リクエストに対する応答として、前記画像形成装置のＷｅｂブラウザで表示するための画面データと前記印刷制御装置のＷｅｂブラウザで表示するための画面データを応答する応答手段と
を有することを特徴とするＷｅｂサーバ。
【請求項１０】
前記画像形成装置のＷｅｂブラウザで表示するための画面データと前記印刷制御装置のＷｅｂブラウザで表示するための画面データの両方を応答するか、前記画像形成装置のＷｅｂブラウザで表示するための画面データのみを応答するかを判断する判断手段を更に備え、
前記応答手段は、前記判断手段による判断の結果に従って前記受信手段が受信したリクエストに対する応答を行うことを特徴とする請求項９に記載のＷｅｂサーバ。
【請求項１１】
前記判定手段による判定の結果、前記受信手段が受信したリクエストが、前記印刷制御装置のＷｅｂブラウザからのリクエストであると判定された場合は、前記応答手段は、当該リクエストに対する応答として、前記印刷制御装置のＷｅｂブラウザで表示するための画面データのみを応答することを特徴とする請求項１０に記載のＷｅｂサーバ。
【請求項１２】
Ｗｅｂサーバとネットワークを介して通信し、画像形成装置と接続される印刷制御装置であって、
前記画像形成装置のＷｅｂブラウザからのリクエストを前記Ｗｅｂサーバに転送する転送手段と、
前記転送手段が転送したリクエストに対する応答として、前記画像形成装置のＷｅｂブラウザで表示するための画面データと前記印刷制御装置のＷｅｂブラウザで表示するための画面データを受信する受信手段と、
前記応答に含まれる前記印刷制御装置のＷｅｂブラウザで表示するための画面データに基づく画面を、自装置の表示部に表示する表示手段と、
前記応答に含まれる前記画像形成装置のＷｅｂブラウザで表示するための画面データを、前記画像形成装置に送信する送信手段と、
を備えることを特徴とする印刷制御装置。
【請求項１３】
前記画像形成装置のＷｅｂブラウザで表示するための画面データは、前記画像形成装置が備える機能を選択する画面を表示するための画面データであり、前記印刷制御装置のＷｅｂブラウザで表示するための画面データは、前記機能を説明する画面を表示するための画面データであることを特徴とする請求項１２に記載の印刷制御装置。
【請求項１４】
前記画像形成装置のＷｅｂブラウザで表示するための画面データは、前記画像形成装置で読み取った画像データを外部装置に送信するための設定を行う画面を表示するための画面データであり、前記印刷制御装置のＷｅｂブラウザで表示するための画面データは、前記設定を説明する画面を表示するための画面データであることを特徴とする請求項１２または１３に記載の印刷制御装置。
【請求項１５】
前記画像形成装置のＷｅｂブラウザで表示するための画面データは、前記印刷制御装置の設定を変更する必要があることを通知する画面を表示するための画面データであり、前記印刷制御装置のＷｅｂブラウザで表示するための画面データは、前記印刷制御装置の設定を変更する画面を表示するための画面データであることを特徴とする請求項１２乃至１４のいずれか１項に記載の印刷制御装置。
【請求項１６】
Ｗｅｂサーバと、前記Ｗｅｂサーバとネットワークを介して通信する印刷制御装置と、前記印刷制御装置に接続される画像形成装置とを含む画像形成システムの制御方法であって、
前記Ｗｅｂサーバにおいて、
前記印刷制御装置により送信されたリクエストを受信する受信工程と、
前記受信工程で受信したリクエストが、前記印刷制御装置のＷｅｂブラウザからのリクエストか、前記画像形成装置のＷｅｂブラウザからのリクエストかを判定する判定工程と、
前記判定工程における判定の結果、前記受信工程で受信したリクエストが、前記画像形成装置のＷｅｂブラウザからのリクエストであると判定された場合に、当該リクエストに対する応答として、前記画像形成装置のＷｅｂブラウザで表示するための画面データと前記印刷制御装置のＷｅｂブラウザで表示するための画面データを応答する応答工程と
を有することを特徴とする画像形成システムの制御方法。
【請求項１７】
画像形成装置に接続された印刷制御装置と、ネットワークを介して通信するＷｅｂサーバの制御方法であって、
前記印刷制御装置により送信されたリクエストを受信する受信工程と、
前記受信工程で受信したリクエストが、前記印刷制御装置のＷｅｂブラウザからのリクエストか、前記画像形成装置のＷｅｂブラウザからのリクエストかを判定する判定工程と、
前記判定工程における判定の結果、前記受信工程で受信したリクエストが、前記画像形成装置のＷｅｂブラウザからのリクエストであると判定された場合に、当該リクエストに対する応答として、前記画像形成装置のＷｅｂブラウザで表示するための画面データと前記印刷制御装置のＷｅｂブラウザで表示するための画面データを応答する応答工程と
を有することを特徴とするＷｅｂサーバの制御方法。
【請求項１８】
Ｗｅｂサーバとネットワークを介して通信し、画像形成装置と接続される印刷制御装置での制御方法であって、
前記画像形成装置のＷｅｂブラウザからのリクエストを前記Ｗｅｂサーバに転送する転送工程と、
前記転送工程で転送したリクエストに対する応答として、前記画像形成装置のＷｅｂブラウザで表示するための画面データと前記印刷制御装置のＷｅｂブラウザで表示するための画面データを受信する受信工程と、
前記応答に含まれる前記印刷制御装置のＷｅｂブラウザで表示するための画面データに基づく画面を、自装置の表示部に表示する表示工程と、
前記応答に含まれる前記画像形成装置のＷｅｂブラウザで表示するための画面データを、前記画像形成装置に送信する送信工程と、
を備えることを特徴とする印刷制御装置の制御方法。
【請求項１９】
コンピュータを、請求項１乃至８のいずれか１項に記載の画像形成システムの各手段として機能させるためのプログラム。
【請求項２０】
コンピュータを、請求項９乃至１１のいずれか１項に記載のＷｅｂサーバの各手段として機能させるためのプログラム。
【請求項２１】
コンピュータを、請求項１２乃至１５のいずれか１項に記載の印刷制御装置の各手段として機能させるためのプログラム。